(57)【要約】【課題】  燃焼室から離れた位置において、リアルタイムで亡骸の火葬状態を確認可能な火葬用設備を提供すること。【解決手段】  亡骸Ｄを燃焼する燃焼室２４と、この燃焼室２４の外壁１７に設けられた開口１７Ａと、この開口１７Ａの外方に設けられた第一区画１０と、この第一区画１０から燃焼室２４内に気体を導入する第一送風ライン１４と、第一区画を区画する透明ガラス１８と、第一区画１０の外方において透明ガラス１８を通して燃焼室２４内を撮像可能なビデオ１１と、ビデオ１１によって撮られた映像をリアルタイムで表示可能なディスプレイ装置４０とを備えた火葬用設備２０によって達成される。【選択図】        図４
2017015307.tif 000002
【特許請求の範囲】
【請求項１】
亡骸を燃焼する燃焼室と、この燃焼室の外壁に設けられた開口と、この開口の外方に設けられた第一区画と、この第一区画から前記燃焼室内に気体を導入する第一導入部と、前記第一区画を区画する透明部材と、前記第一区画の外方において前記透明部材を通して前記燃焼室内を撮像可能な撮像装置と、この撮像装置によって撮られた画像をリアルタイムで表示可能なディスプレイ装置とを備えた火葬用設備。
【請求項２】
前記透明部材の外方には第二区画が設けられており、前記撮像装置は、この第二区画の内部に設けられており、前記第二区画には冷却用の流体を導入する第二導入部が設けられていることを特徴とする請求項１に記載の火葬用設備。
【請求項３】
前記気体と流体が共に空気であり、前記第一導入部と第二導入部とは、一つの送風機によって空気が送風されるようになっていることを特徴とする請求項２に記載の火葬用設備。
【発明の詳細な説明】
【技術分野】
【０００１】
本発明は火葬用設備し、特に火葬中の燃焼室内部の様子をリアルタイムで表示可能なものに関する。
【背景技術】
【０００２】
日本においては、生き物（例えば、人、ペット（例えば、犬、猫）など）が亡くなると、その亡骸を火葬することが一般的である。火葬を行う設備には、燃焼室内の様子を視認可能な覗き窓が設けられていることが多い（例えば、特許文献１中の覗き窓１３を参照）。火葬を開始すると、その稼働者が、適当な時間を空けて、覗き窓から燃焼室内の様子を覗き、火葬を停止するタイミングを判断している。
【先行技術文献】
【特許文献】
【０００３】
【特許文献１】特開２００６−２９２３２１号公報
【発明の概要】
【発明が解決しようとする課題】
【０００４】
しかし、覗き窓の周辺は相当な高温となっており、操作者に過重な労働となってしまう。このため、火葬状態を燃焼室から離れたところで確認できれば労働状態を軽くできる。また、亡骸がペットの場合には、飼い主が火葬状態をリアルタイムで確認したいという要望がある。
本発明は、上記問題に鑑みてなされたものであり、その目的は、燃焼室から離れた位置において、リアルタイムで亡骸の火葬状態を確認可能な火葬用設備を提供することにある。
【課題を解決するための手段】
【０００５】
上記目的を達成するために、火葬用設備は、亡骸を燃焼する燃焼室と、この燃焼室の外壁に設けられた開口と、この開口の外方に設けられた第一区画と、この第一区画から前記燃焼室内に気体を導入する第一導入部と、前記第一区画を区画する透明部材と、前記第一区画の外方において前記透明部材を通して前記燃焼室内を撮像可能な撮像装置と、この撮像装置によって撮られた画像をリアルタイムで表示可能なディスプレイ装置とを備えたことを特徴とする。
本発明において、前記透明部材の外方には第二区画が設けられており、前記撮像装置は、この第二区画の内部に設けられており、前記第二区画には冷却用の流体を導入する第二導入部が設けられていることが好ましい。
亡骸としては、ヒト又は動物（ウシ、ウマ、イヌ、ネコなどが含まれる）を含む。このうち、動物（特に、ペット）であることが好ましい。
【０００６】
第一導入部によって燃焼室内に導入される気体は、透明部材の曇止めと熱による変形を防止すると共に、第一区画を適当に空冷することもできる。気体は、燃焼室内に導入されるので、酸素を含むことが好ましい。そのような気体として、空気を用いることが好ましい。そのようにすれば、送風機によって空気を導入すれば済むので簡易な構成とできる。
第二導入部によって第二区画に導入される流体は、撮像装置及び／又は透明部材が熱くなりすぎないように冷却するために導入される。この流体は、循環させて再利用しても良いし、第二区画から放出させても良い。そのような流体として、空気、水などを用いることができる。流体として、空気を用いる場合には、送風機から空気を導入すれば済むので簡易な構成とできる。このときには、第一導入部と第二導入部とは、一つの送風機を兼用して空気が送風されるように構成することが好ましい。
また、流体として、水を用いる場合には、撮像装置を冷やす効果が大きくなる。
撮像装置としては、適当な時間を空けつつ画像を撮影するカメラ、又はリアルタイムで動画を撮影するビデオなどが含まれる。
【発明の効果】
【０００７】
本発明によれば、燃焼室から離れた位置において、リアルタイムで亡骸の火葬状態を確認可能な火葬用設備を提供できる。
【図面の簡単な説明】
【０００８】
【図１】本実施形態における火葬用設備の側面図である。
【図２】火葬用設備の正面図である。
【図３】火葬用設備の背面図である。
【図４】燃焼室に設けられた開口付近の様子を示す部分拡大図である。
【図５】燃焼室内に亡骸を入れたときの火葬設備の側面図である。
【図６】燃焼室内に亡骸を入れたときの火葬設備の正面図である。
【図７】燃焼室内の様子をリアルタイムで表示するディスプレイ装置を示す図である。（Ａ）燃焼を開始したときの様子、（Ｂ）燃焼が進んだときの様子、（Ｃ）燃焼が完了したときの様子をそれぞれ示す。
【発明を実施するための形態】
【０００９】
次に、図面を参照しつつ本発明の実施形態について詳細に説明するが、本発明の技術的範囲は、この実施形態によって限定されず、要旨を変更することなく、種々に変更して実施できる。
図１〜図３には、亡骸Ｄを載せた台車１と、火葬用設備２０を示した。台車１には、亡骸Ｄを支持する皿板部２と、この皿板部２の下面側において前後及び左右から垂下する合計四脚の脚部３が設けられている。また、各脚部３の下端には、車輪４が設けられている。車輪４は、一対のガイドレール５に沿って配置されており、台車１が火葬用設備２０の外方及び内側に移動可能とされている。
【００１０】
火葬用設備２０には、一次燃焼室２４と一次燃焼バーナー２６及び二次燃焼室２２と二次燃焼バーナー２３が設けられている。このように二次燃焼室２２を設けることにより、亡骸Ｄの不完全燃焼を防止できる。一次燃焼室２４の前方開口には、上下方向に移動することで一次燃焼室２４を開閉可能な投入扉２５が設けられている。火葬用設備２０の上部には、各燃焼室２２，２４に空気を送る送風機２１が設けられている。
また、火葬用設備２０の側面（図２の右側側面）には、火葬用設備２０の制御を行う制御基板３２が設けられている。この制御基板３２の上側には、第一区画１０及び第二区画１９に空気を送る送風機１６が設けられている。送風機１６からは、二本の送風ライン１３，１４が延出されており、各ライン１３，１４の他端は、それぞれ第一区画１０及び第二区画１９に接続されている。
【００１１】
図４に拡大して示すように、一次燃焼室２４の外壁１７には、開口１７Ａが設けられており、ここには円筒状の第一区画１０及び第二区画１９が連続して設けられている。第一区画１０は、一次燃焼室２４に連通した中空状とされている。第一送風ライン１４から送り込まれる空気は、図中の矢印Ｓに示すように、第一区画１０を通して一次燃焼室２４に送られる。第一区画１０と第二区画１９との間には、透明ガラス１８が設けられており、第二区画１９側から一次燃焼室２４内部を視認できるようになっている。
【００１２】
第二区画１９は中空状となっており、ここには一次燃焼室２４に向かってビデオ１１が取り付けられている。ビデオ１１からは、電源供給、ビデオ操作及びデータ通信用のライン１２が延出されている。図示はしないが、ライン１２の他端側は、制御基板３２及びディスプレイ装置４０に連結されている。こうして、ビデオ１１は制御基板３２によって制御されると共に、一次燃焼室２４の内部をリアルタイムでディスプレイ装置４０に写すようになっている。
また、第二区画１９には、第二送風ライン１３と空気導出ライン１５が取り付けられている。第二送風ライン１３から送り込まれる空気は、図中の矢印Ｔに示すように、第二区画１９内部のビデオ１１及び透明ガラス１８を空冷した後、空気導出ライン１５を通して、外方に放出される。
なお、詳細には図示しないが、制御基板３２は、燃焼バーナー２３，２６、送風機１６，２１、ビデオ１１及びディスプレイ装置４０の制御を行えるようになっている。
【００１３】
次に、上記のように構成された本実施形態の作用及び効果について、図５〜図７を参照しつつ説明する。
亡骸Ｄを台車１の皿板部２に載せる。このとき、良好な焼却を促すために、亡骸Ｄを一次燃焼バーナー２６に近くなるように、台車１の奥側に載せることが好ましい。次いで、投入扉２５を上方に動かし、一次燃焼室２４を開放する。台車１をガイドレール５に沿って移動させ、一次燃焼室２４内部の所定の位置まで進めた後、投入扉２５を下方に動かし、一次燃焼室２４を閉止する。
この状態とした後、制御基板３２を操作して、送風機１６，２１を駆動させながら、両燃焼バーナー２３，２６を点火し、亡骸Ｄの焼却操作を開始する。このとき、同時にビデオ１１による撮像操作を開始する。
【００１４】
亡骸Ｄの焼却中には、送風ライン１３，１４を通して、第一区画１０及び第二区画１９に空気が送り込まれる。第一送風ライン１４からの空気は、第一区画１０を通じて一次燃焼室２４に送られることで、空気（酸素）を供給し、亡骸Ｄの燃焼を助ける。加えて、第一区画１０内を（一次燃焼室２４内部の燃焼によって生じる煤・油などを含まない）綺麗な空気で満たすことで、透明ガラス１８の曇止めと空冷による熱変形の防止効果を示す。また、第二送風ライン１３からの空気は、透明ガラス１８及び第二区画１９を空冷することで、透明ガラス１８とビデオ１１を保護している。
なお、送風機２１から送る空気量は、燃焼室２２，２４への供給用のため、区画１０，１９への空気量よりも相当に大きくなる。このため、二台の送風機１６，２１を設けることで、燃焼状態及び透明ガラス１８の曇止め・第二区画１９の空冷状態を細かく制御できる。
亡骸Ｄの燃焼進行の様子は、ビデオ１１によって撮像され、リアルタイムでディスプレイ装置４０に写される。このディスプレイ装置４０を観察することにより、亡骸Ｄが、初期段階（図７（Ａ））、中間段階（図７（Ｂ））を経て、最終的に骨の一部のみが残る完了段階（図７（Ｃ））に至るまで視認できる。
【００１５】
燃焼作業が完了したら、制御基板３２を操作して、両燃焼バーナー２３，２６の運転を止める。適当に冷却した後、送風機１６，２１の駆動を停止し、一定の冷却時間の経過後、投入扉２５を開放し、ガイドレール５に沿って台車１を火葬用設備２０の外方に導出し、お骨の回収を行う。
このように本実施形態によれば、一次燃焼室２４から離れた位置において、リアルタイムで亡骸Ｄの火葬状態を確認可能な火葬用設備２０を提供できた。
＜変形例＞
本実施形態では、二台の送風機１６，２１を設けたが、本発明によれば、一台の送風機によって、バーナーへの空気供給及び第一区画・第二区画への空気供給を行うことができる。そのようにすれば、構成が簡易とできる。
本実施形態では、第二区画１９を設け、この内部にビデオ１１を設けたが、本発明によれば、第二区画を設けることなく、撮像装置を透明部材の外方に設けることができる。そのようにすれば、第二区画１９及び第二送風ライン１３が不要となるので、構成が簡易とできる。
【符号の説明】
【００１６】
１０…第一区画
１１…ビデオ（撮像装置）
１３…第二送風ライン（第二導入部）
１４…第一送風ライン（第一導入部）
１６…送風機（第一導入部、第二導入部）
１７…外壁
１７Ａ…開口
１８…透明ガラス（透明部材）
１９…第二区画
２０…火葬用設備
２４…一次燃焼室（燃焼室）
４０…ディスプレイ装置
Ｄ…亡骸
【図１】
2017015307.tif 000003
【図２】
2017015307.tif 000004
【図３】
2017015307.tif 000005
【図４】
2017015307.tif 000006
【図５】
2017015307.tif 000007
【図６】
2017015307.tif 000008
【図７】
2017015307.tif 000009